(57)【特許請求の範囲】
【請求項１】
内容物が収容される容器本体と、
前記容器本体の口部に破断可能な弱化部を介して連設された蓋体と、を備える詰め替え容器であって、
前記口部には、この詰め替え容器を側面から見た場合における側面視形状が容器軸方向および径方向の双方向に延びる矩形状の固定板部を備える突出体が、径方向の外側に向けて突設され、
前記固定板部の径方向の外側の先端部には、前記内容物が注入される本容器の注入口の開口周縁部に係合可能な凹欠き部が形成されていることを特徴とする詰め替え容器。
【請求項２】
請求項１記載の詰め替え容器であって、
前記突出体は、前記容器本体を、この突出体が前記口部に対して突出する方向に傾けることで前記口部から注出される内容物を、この突出体の上端面に沿って流通させることを特徴とする詰め替え容器。
【請求項３】
請求項１または２に記載の詰め替え容器であって、
前記突出体の上端部は、下面が前記固定板部の上端面に連結されたガイド板部であることを特徴とする詰め替え容器。
【請求項４】
請求項３記載の詰め替え容器であって、
前記ガイド板部の板幅は、径方向の外側に向かうに従い漸次、狭くなっていることを特徴とする詰め替え容器。
【請求項５】
請求項３または４に記載の詰め替え容器であって、
前記ガイド板部の上面は、このガイド板部の板幅方向の外側から内側に向かうに従い漸次、下方に向かっていることを特徴とする詰め替え容器。
【発明の詳細な説明】
【技術分野】
【０００１】
本発明は、詰め替え容器に関する。
【背景技術】
【０００２】
従来から、この種の詰め替え容器として、例えば下記特許文献１に示されるような、内容物が収容される容器本体と、容器本体の口部に破断可能な弱化部を介して連設された蓋体と、を備える構成が知られている。
【先行技術文献】
【特許文献】
【０００３】
【特許文献１】特開２００５−６７７０５号公報
【発明の概要】
【発明が解決しようとする課題】
【０００４】
しかしながら、前記従来の詰め替え容器では、弱化部が破断され蓋体が離脱された容器本体の口部から内容物を注出する際に、内容物の詰め替え先である本容器の注入口に、口部を安定して位置決めするのが困難であり、口部から注出された内容物が、注入口に注入されず零れてしまうおそれがあった。
【０００５】
本発明は、前述した事情に鑑みてなされたものであって、その目的は、詰め替え作業時に内容物が零れるのを抑制することができる詰め替え容器を提供することである。
【課題を解決するための手段】
【０００６】
前記課題を解決するために、本発明は以下の手段を提案している。
本発明に係る詰め替え容器は、内容物が収容される容器本体と、前記容器本体の口部に破断可能な弱化部を介して連設された蓋体と、を備える詰め替え容器であって、この詰め替え容器を側面から見た場合における側面視形状が容器軸方向および径方向の双方向に延びる矩形状の固定板部を備える突出体が、径方向の外側に向けて突設され、前記固定板部の径方向の外側の先端部には、前記内容物が注入される本容器の注入口の開口周縁部に係合可能な凹欠き部が形成されていることを特徴とする。
【０００７】
この発明では、内容物の詰め替え作業時に、弱化部を破断して容器本体の口部から蓋体を離脱させた後、本容器の注入口の開口周縁部に固定板部の凹欠き部を係合させるとともに、固定板部が口部よりも下方に位置するように容器本体を傾け、口部から内容物を注出する。
このように、内容物の詰め替え作業時に、本容器の注入口の開口周縁部に固定板部の凹欠き部を係合させることで、容器本体の口部を注入口に安定して位置決めした状態で、口部から内容物を注出することができる。これにより、口部から注出された内容物を注入口に確実に注入することが可能になり、詰め替え作業時に内容物が零れるのを抑制することができる。
また、固定板部が中実の板部材となっているため、容器本体を本容器に対して傾斜させていっても、固定板部の変形が起こり難く、詰め替え操作を安定して行うことができる。
【０００８】
また、前記突出体は、前記容器本体を、この突出体が前記口部に対して突出する方向に傾けることで前記口部から注出される内容物を、この突出体の上端面に沿って流通させても良い。
【０００９】
この場合、内容物の詰め替え作業時に、固定板部が口部よりも下方に位置するように容器本体を傾けると、口部から注出された内容物が、突出体の上端面に沿って径方向の外側に流通し、突出体の径方向の外側の先端部から本容器の注入口に注入される。
このように、容器本体の口部から注出された内容物を、突出体の先端部から本容器の注入口に注入することができるので、内容物を注入口により確実に注入することが可能になり、詰め替え作業時に内容物が零れるのをより抑制することができる。
【００１０】
また、前記突出体の上端部は、下面が前記固定板部の上端面に連結されたガイド板部であっても良い。
【００１１】
この場合、突出体の上端部が前記ガイド板部であり、突出体の上端面がガイド板部の上面となっているので、口部から注出された内容物が、ガイド板部の上面に沿って径方向の外側に流通し、ガイド板部の径方向の外側の先端部から本容器の注入口に注入されることとなる。これにより、前述の作用効果を確実に奏功させることができる。
さらに、ガイド板部の下面が固定板部の上端面に連結されているので、固定板部をガイド板部のリブとして作用させてガイド板部の姿勢を安定させることが可能になり、前述の作用効果をより確実に奏功させることができる。
【００１２】
また、前記ガイド板部の板幅は、径方向の外側に向かうに従い漸次、狭くなっていても良い。
【００１３】
この場合、ガイド板部の板幅が、径方向の外側に向かうに従い漸次、狭くなっているので、ガイド板部の上面に沿って径方向の外側に流通する内容物を、ガイド板部の板幅方向の内側に集束させることができる。これにより、容器本体の口部から注出された内容物を、本容器の注入口により一層確実に注入することが可能になり、詰め替え作業時に内容物が零れるのをより一層抑制することができる。
【００１４】
また、前記ガイド板部の上面は、このガイド板部の板幅方向の外側から内側に向かうに従い漸次、下方に向かっていても良い。
【００１５】
この場合、ガイド板部の上面が、前記板幅方向の外側から内側に向かうに従い漸次、下方に向かっているので、ガイド板部の上面に沿って径方向の外側に流通する内容物を、前記板幅方向の内側に集束させることができる。これにより、容器本体の口部から注出された内容物を、本容器の注入口により一層確実に注入することが可能になり、詰め替え作業時に内容物が零れるのをより一層抑制することができる。
【発明の効果】
【００１６】
本発明に係る詰め替え容器によれば、詰め替え作業時に内容物が零れるのを抑制することができる。
【図面の簡単な説明】
【００１７】
【図１】本発明の一実施形態に係る詰め替え容器の側面図である。
【図２】図１に示す詰め替え容器の開封状態における上面図である。
【図３】図１に示す詰め替え容器の口部の開封状態における斜視図である。
【図４】図１に示す詰め替え容器の口部の開封状態における正面図である。
【図５】図１に示す詰め替え容器を用いた詰め替え作業を説明する図である。
【図６】図１に示す詰め替え容器を用いた詰め替え作業を説明する図である。
【図７】図１に示す詰め替え容器を用いた詰め替え作業を説明する図である。
【図８】本発明の変形例に係る詰め替え容器の口部の開封状態における正面図である。
【発明を実施するための形態】
【００１８】
以下、図面を参照し、本発明の一実施形態に係る詰め替え容器を説明する。
図１に示すように、詰め替え容器１は、内容物が収容される容器本体２と、容器本体２の口部３に破断可能な第１弱化部（弱化部）４を介して連設された第１蓋体（蓋体）５と、を備えている。容器本体２は、前記口部３と、有底筒状の胴部６と、胴部６の上端開口部に連設された肩部７と、を備えており、口部３は肩部７に立設された筒状体となっている。
【００１９】
なお本実施形態では、口部３、胴部６および肩部７は、それぞれの中心軸線が共通軸上に位置された状態で配設されている。以下、この共通軸を容器軸Ｏといい、容器軸Ｏ方向に沿った口部３側を上側といい、胴部６側を下側といい、容器軸Ｏに直交する方向を径方向といい、容器軸Ｏ回りに周回する方向を周方向という。
【００２０】
図２に示すように、容器本体２には、容器本体２の内部と外部とを連通する空気導入孔８が、口部３から独立して形成されている。空気導入孔８は、口部３に近接して配置され肩部７に形成されるとともに、口部３および空気導入孔８は、同一方向（図示の例では上方）に向けて開口している。本実施形態では、肩部７には、上方に向けて膨出する台座部９が形成されており、空気導入孔８は、台座部９を容器軸Ｏ方向に貫通するように配設されている。空気導入孔８の上面視形状は、径方向に長い長方形状となっている。
【００２１】
また図１に示すように、台座部９の上端縁（容器本体における空気導入孔の開口周縁部）には、空気導入孔８を閉塞する第２蓋体１０が、破断可能な第２弱化部１１を介して連設されている。
なお以下では、径方向のうち、台座部９が口部３から離間している方向を径方向一方側Ｌ１といい、この径方向一方側Ｌ１の反対側の方向を径方向他方側Ｌ２という。
【００２２】
口部３には、径方向一方側Ｌ１に向けて張り出す張出部１２が形成されている。図１に示すように、張出部１２は、口部３の容器軸Ｏ方向の全長にわたって延在しており、張出部１２の下端部は、台座部９に径方向他方側Ｌ２から連結されている。
ここで、第１蓋体５と第２蓋体１０とは、連結体１８を介して連結されている。連結体１８は、容器軸Ｏ方向に延在しており、連結体１８の上端部は、径方向一方側Ｌ１から第１蓋体５に連結されるとともに、連結体１８の下端部は、径方向他方側Ｌ２から第２蓋体１０に連結されている。
【００２３】
また連結体１８は、破断可能な第３弱化部１９を介して容器本体２に連設されている。そして、第１弱化部４と第２弱化部１１とは、第３弱化部１９を介して連結されている。本実施形態では、連結体１８は、口部３の張出部１２に第３弱化部１９を介して連設され、第３弱化部１９の上端部は、第１弱化部４に連結されるとともに、第３弱化部１９の下端部は、第２弱化部１１に連結されている。
【００２４】
図示の例では、第１弱化部４および第２弱化部１１の側面視形状は、径方向に沿って延びる直線状となっている。また、第３弱化部１９の上端部の側面視形状は、上方から下方に向かうに従い漸次、径方向一方側Ｌ１に向かうように湾曲するとともに、径方向一方側Ｌ１に向けて突出する凸曲線状となっている。また、第３弱化部１９の下端部の側面視形状は、上方から下方に向かうに従い径方向一方側Ｌ１に向かうように湾曲するとともに、径方向他方側Ｌ２に向けて突出する凸曲線状となっている。
【００２５】
また図示の例では、口部３の上端部は、第１弱化部４から下方に離れるに従い漸次、外径が大きくなっており、該上端部の外面は傾斜面となっている。また、台座部９の上端部は、第２弱化部１１から下方に離れるに従い漸次、外径が大きくなっており、該上端部の外面は傾斜面とされている。さらに、張出部１２において径方向一方側Ｌ１に位置する部分は、第３弱化部１９から径方向他方側Ｌ２に離れるに従い漸次、拡幅しており、該部分の外面は傾斜面とされている。これらの傾斜面は、段差無く滑らかに連なっている。
【００２６】
さらに図示の例では、第１蓋体５の下端部は、第１弱化部４から上方に離れるに従い漸次、外径が大きくなっており、該下端部の外面は傾斜面となっている。また、第２蓋体１０の下端部は、第２弱化部１１から上方に離れるに従い漸次、外径が大きくなっており、該下端部の外面は傾斜面とされている。さらに、連結体１８において径方向他方側Ｌ２に位置する部分は、第３弱化部１９から径方向一方側Ｌ１に離れるに従い漸次、拡幅しており、該部分の外面は傾斜面とされている。これらの傾斜面は、段差無く滑らかに連なっている。
【００２７】
また第１蓋体５には、上方に向けて摘み片２０が突設されている。摘み片２０は、径方向他方側Ｌ２に向けて斜め上方に突設されている。摘み片２０の径方向他方側Ｌ２の下端部は、第１蓋体５の下端部に径方向他方側Ｌ２から連結されている。また摘み片２０には、この摘み片２０を貫通する指掛け孔２１が形成されている。
【００２８】
ここで図３に示すように、口部３には、径方向他方側Ｌ２に向けて突出する突出体２２が設けられている。突出体２２は、表裏面が容器軸Ｏ方向および径方向の双方向に延びる固定板部１４と、下面が固定板部１４の上端面に連結されたガイド板部１３と、を備えており、突出体２２の上端部は、ガイド板部１３となっている。
【００２９】
ガイド板部１３は、口部３の上端部から径方向に沿って延在しており、ガイド板部１３の板幅は、径方向他方側Ｌ２に向かうに従い漸次、狭くなっている。また図４に示すように、ガイド板部１３の上面（突出体の上端面）１３ａは、このガイド板部１３の板幅方向Ｗの外側から内側に向かうに従い漸次、下方に向かっている。つまり、ガイド板部１３の上面１３ａは、前記板幅方向Ｗの中央から両外側に向かうに従い漸次せり上がっており、ガイド板部１３の上面１３ａの前記正面視形状は、下方に向けて窪む凹曲面状となっている。
また図３に示すように、ガイド板部１３の上面１３ａは、口部３の上端縁３ａに径方向他方側Ｌ２から接続されている。図示の例では、ガイド板部１３の上面１３ａの径方向一方側Ｌ１の端縁のうち、前記板幅方向Ｗの両外端が、口部３の上端縁３ａに段差無く連結されている。
【００３０】
また図１に示すように、固定板部１４の側面視形状は、容器軸Ｏ方向に長い長方形状となっており、固定板部１４およびガイド板部１３の径方向他方側Ｌ２の両先端面は面一になっている。
そして本実施形態では、固定板部１４の径方向他方側Ｌ２の先端部には、この詰め替え容器１内の内容物が注入される本容器５０（図７参照）の注入口５１の開口周縁部５２に係合可能な凹欠き部１５が形成されている。凹欠き部１５は、径方向他方側Ｌ２に向けて開口するとともに、固定板部１４の上端縁よりも下方に配設されており、凹欠き部１５の側面視形状は、矩形状となっている。
【００３１】
また、固定板部１４の表裏面それぞれには、容器軸Ｏ方向に延在する第１縦リブ１６が、径方向に間隔をあけて複数配設されている。
また、口部３の外周面において固定板部１４と張出部１２との間に位置する部分には、容器軸Ｏ方向に延びる第２縦リブ１７が、周方向に間隔をあけて複数配設されている。第２縦リブ１７は、口部３の剛性向上および滑り止めなどの効果を発揮する。
以上のように構成された詰め替え容器１は、例えばブロー成形等により全体が一体に形成されている。
【００３２】
次に前記詰め替え容器１を用いて、内容物の詰め替えを行う方法の一例について説明する。
まず図５に示すように、一方の手の指で固定板部１４を摘むとともに、他方の手の指を摘み片２０の指掛け孔２１に掛けた後、前記他方の手の指を、径方向一方側Ｌ１に向けて引く。すると、第１蓋体５のうちの径方向他方側Ｌ２に位置する部分に、第１蓋体５を口部３から引き離す力が摘み片２０を介して加えられ、第１弱化部４が破断される。その後、この力が、第１蓋体５を介して連結体１８に加えられることで第３弱化部１９が破断され、さらに、第１蓋体５および連結体１８を介して第２蓋体１０に前記力が加えられることで第２弱化部１１が破断される。これにより、図６に示すように、第１蓋体５、連結体１８および第２蓋体１０が容器本体２から一体的に離脱されて口部３および空気導入孔８が開放される。なおこのとき、第１弱化部４、第３弱化部１９および第２弱化部１１は、この順に連続して破断される。
【００３３】
その後、図７に示すように、本容器５０の注入口５１の開口周縁部５２に凹欠き部１５を係合させるとともに、容器本体２を径方向他方側Ｌ２に傾けると、ガイド板部１３の径方向他方側Ｌ２の先端部が注入口５１内に位置した状態で、外気が空気導入孔８から容器本体２内に導入されながら、内容物が口部３から注出される。
【００３４】
口部３から注出された内容物は、ガイド板部１３の上面１３ａに沿って径方向他方側Ｌ２に向けて流通し、ガイド板部１３の先端部から注入口５１に注入される。ここで本実施形態では、ガイド板部１３の板幅が、径方向他方側Ｌ２に向かうに従い漸次、狭くなっているので、ガイド板部１３の上面１３ａに沿って径方向他方側Ｌ２に流通する内容物は、前記板幅方向Ｗの内側に集束しながら流通する。さらに本実施形態では、ガイド板部１３の上面１３ａが、前記板幅方向Ｗの外側から内側に向かうに従い漸次、下方に向かっているので、前記内容物は、前記板幅方向Ｗの内側に確実に集束しながら流通する。
【００３５】
なお、以上のように口部３から内容物を注出する過程で、詰め替え容器１の前記凹欠き部１５と、本容器５０の前記開口周縁部５２と、の接触部分を起点として本容器５０に対する容器本体２の傾斜を漸次大きくすることで、前記凹欠き部１５と前記開口周縁部５２との係合を解除して本容器５０の注入口５１内に容器本体２の口部３を挿入した状態で、容器本体２を倒立姿勢にし、詰め替え操作を行っても良い。
【００３６】
以上説明したように、本実施形態に係る詰め替え容器１によれば、内容物の詰め替え作業時に、本容器５０の注入口５１の開口周縁部５２に固定板部１４の凹欠き部１５を係合させることで、容器本体２の口部３を注入口５１に安定して位置決めした状態で、口部３から内容物を注出することができる。これにより、口部３から注出された内容物を注入口５１に確実に注入することが可能になり、詰め替え作業時に内容物が零れるのを抑制することができる。
また、固定板部１４が中実の板部材となっているため、容器本体２を本容器５０に対して傾斜させていっても、固定板部１４の変形が起こり難く、詰め替え操作を安定して行うことができる。
【００３７】
また、容器本体２の口部３から注出された内容物を、ガイド板部１３の先端部から本容器５０の注入口５１に注入することができるので、内容物を注入口５１に一層確実に注入することが可能になり、詰め替え作業時に内容物が零れるのをより抑制することができる。
さらに、ガイド板部１３の上面１３ａに沿って径方向他方側Ｌ２に流通する内容物を、前記板幅方向Ｗの内側に集束させることができるので、容器本体２の口部３から注出された内容物をより一層確実に注入口５１に注入することが可能になり、詰め替え作業時に内容物が零れるのをより一層抑制することができる。
さらにまた、ガイド板部１３の下面が固定板部１４の上端面に連結されているので、固定板部１４をガイド板部１３のリブとして作用させてガイド板部１３の姿勢を安定させることが可能になり、前述の作用効果を確実に奏功させることができる。
【００３８】
また本実施形態では、内容物の注出時に、容器本体２内に外気を導入しながら内容物を注出することができるので、内容物を効率良く注出することができる。
また、第１蓋体５および第２蓋体１０を容器本体２から一体的に離脱させることができるので、これらの蓋体５、１０を各別に離脱させる場合に比べて、効率良く離脱させることができる。
以上より、詰め替え作業を効率良く行うことができる。
【００３９】
また、空気導入孔８が、口部３から独立して形成されているので、容器本体２内に導入される外気の流路面積、および容器本体２内から注出される内容物の流路面積をそれぞれ安定して確保し易くすることが可能になり、内容物を円滑に注出することができる。
【００４０】
また空気導入孔８が、肩部７に形成されているので、空気導入孔８が、内容物が注出される口部３の上端開口部から離れて配置されることとなる。これにより、内容物を注出するために容器本体２を径方向他方側Ｌ２に傾けるときに、空気導入孔８から内容物が注出されるのを抑制することができる。
【００４１】
また、第１弱化部４と第２弱化部１１とが第３弱化部１９を介して連結されているので、これらの弱化部４、１１、１９を連続して破断することが可能になり、第１蓋体５および第２蓋体１０を容器本体２から円滑に離脱させることができる。
さらに、固定板部１４の表裏面それぞれに、第１縦リブ１６が径方向に間隔をあけて複数配設されているので、例えば固定板部１４を指等で摘むときに、指が滑りにくく固定板部１４を強く摘むことが可能になり、第１蓋体５および第２蓋体１０を容器本体２からより円滑に離脱させることができる。
以上のように、第１蓋体５および第２蓋体１０を容器本体２から円滑に離脱させることができるので、この詰め替え容器１の開封作業時に、口部３や空気導入孔８から容器本体２内の内容物が零れるのを抑制することができる。
【００４２】
なお、本発明の技術的範囲は前記実施形態に限定されるものではなく、本発明の趣旨を逸脱しない範囲において種々の変更を加えることが可能である。
例えば、前記実施形態では、ガイド板部１３および固定板部１４の径方向他方側Ｌ２の両先端面が面一になっているが、どちらか一方が他方に対して径方向他方側Ｌ２に突出していても良い。
【００４３】
また、前記実施形態では、ガイド板部１３の上面１３ａの径方向一方側Ｌ１の端縁のうち、前記板幅方向Ｗの両外端が、口部３の上端縁３ａに段差無く連結されているものとしたが、これに限られない。例えば、ガイド板部１３の上面１３ａの径方向一方側Ｌ１の端縁が、全長にわたって口部３の上端縁３ａに段差無く連結され、ガイド板部１３の上面１３ａが、口部３の上端縁３ａに径方向他方側Ｌ２から前記板幅方向Ｗの全長にわたって接続されていても良い。この場合、例えば、ガイド板部１３の上面１３ａが、径方向一方側Ｌ１に向かうに従い漸次せりあがった構成であっても良く、口部３の上端縁３ａが、ガイド板部１３ａの上面１３ａの形状に合わせて下方に向けて窪んだ構成であっても良い。
【００４４】
また、前記実施形態に示した詰め替え容器１に代えて、図８に示すような詰め替え容器３０を採用しても良い。
図８に示すように、この詰め替え容器３０では、ガイド板部３１の上面３１ａは、容器軸Ｏに直交する直交面と平行な平坦面となっている。そして、ガイド板部３１の上面３１ａは、口部３の上端縁３ａに径方向他方側Ｌ２から前記板幅方向Ｗの全長にわたって接続されている。
【００４５】
また前記実施形態では、ガイド板部１３、３１の板幅が、径方向他方側Ｌ２に向かうに従い漸次、狭くなるものとしたが、これに限られない。
さらにガイド板部１３、３１は、口部３から全周にわたって径方向の外側に向けて突出する環状であってもよい。この場合、ガイド板部１３のうち、固定板部１４の上端面に連結される部分（径方向他方側Ｌ２に位置する部分）が、他の部分に比べて径方向他方側Ｌ２に突出していることが好ましい。
【００４６】
また、前記実施形態では、突出体２２は、ガイド板部１３、３１を備えているものとしたが、ガイド板部１３、３１を備えていなくても良い。この場合、固定板部１４の上端面（突出体の上端面）が、口部３の上端縁３ａに径方向他方側Ｌ２から接続されていても良い。
この構成によれば、内容物の詰め替え作業時に、容器本体２を径方向他方側Ｌ２に傾けると、口部３から注出された内容物が、固定板部１４の上端面に沿って径方向他方側Ｌ２に流通し、固定板部１４の先端部から本容器５０の注入口５１に注入される。
このように、容器本体２の口部３から注出された内容物を固定板部１４の先端部から本容器５０の注入口５１に注入することができるので、内容物を注入口５１により確実に注入することが可能になり、詰め替え作業時に内容物が零れるのをより抑制することができる。
なお、このように突出体２２がガイド板部１３、３１を備えていない構成であっても、固定板部１４の上端面が、口部３の上端縁３ａに径方向他方側Ｌ２から接続されていなくても良い。
【００４７】
また前記実施形態では、固定板部１４には第１縦リブ１６が配設されているものとしたが、第１縦リブ１６は無くても良い。さらに前記実施形態では、凹欠き部１５の側面視形状が矩形状となっているものとしたが、これに限られるものではない。
【００４８】
また前記実施形態では、口部３には第２縦リブ１７が設けられているものとしたが、第２縦リブ１７は無くても良い。
さらに前記実施形態では、口部３の上端部は、傾斜面となっているものとしたが、これに限られない。例えば、口部３の上端面が、容器軸Ｏに直交する直交面と平行な平坦面となっていても良い。
【００４９】
また前記実施形態では、摘み片２０が、第１蓋体５に設けられているものとしたが、これに限られるものではなく、連結体１８や第２蓋体１０に設けられていても良い。さらに、摘み片２０には指掛け孔２１が形成されているものとしたが、指掛け孔２１は無くても良い。さらに、摘み片２０は無くても良い。
【００５０】
また前記実施形態では、空気導入孔８は、台座部９に形成されているものとしたが、これに限られるものではなく、台座部９はなくても良い。また、口部３の張出部１２も無くても良く、第３弱化部１９も無くても良く、連結体１８も無くても良い。
さらに前記実施形態では、空気導入孔８が形成されていているものとしたが、無くても良い。
【００５１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５２】
１、３０  容器
２  容器本体
３  口部
３ａ  上端縁
４  第１弱化部（弱化部）
５  第１蓋体（蓋体）
１３、３１  ガイド板部
１３ａ、３１ａ  ガイド板部の上面（突出体の上端面）
１４  固定板部
１５  凹欠き部
２２  突出体
５０  本容器
５１  注入口
５２  開口周縁部
Ｏ  容器軸
Ｗ  板幅方向
【図１】
0005564325.tif 000002
【図２】
0005564325.tif 000003
【図３】
0005564325.tif 000004
【図４】
0005564325.tif 000005
【図５】
0005564325.tif 000006
【図６】
0005564325.tif 000007
【図７】
0005564325.tif 000008
【図８】
0005564325.tif 000009